(57)【要約】【課題】使用者がリハビリをスムーズに実施でき、リハビリ期間における回復状態を的確に把握できるリハビリ支援装置を提供する。【解決手段】判断部１０５は、使用者荷重Ｋ１、Ｋ２、Ｋ３、Ｋ４に基づいて使用者の身体（姿勢）が傾いているか否かを判断する。また、判断部１０５は、計測部１０９により計測された傾斜姿勢時間が予め定められた時間を経過したときに、使用者の身体が傾いていると判断する。この場合、判断部１０５は、使用者の身体が傾いている旨を当該使用者に知らせるための音を発音装置１１０に発音させるよう指令する。表示部１０３は、使用者のリハビリ期間における回復度合いを示すポイントの軌跡を表示する。【選択図】図３
2011177265.tif 000002
【特許請求の範囲】
【請求項１】
使用者のリハビリを支援するリハビリ支援装置であって、
前記使用者の身体の左荷重および右荷重をそれぞれ検出する複数の荷重検出部と、
前記左荷重および前記右荷重を時間とともに記憶する使用者荷重記憶部と、
前記使用者荷重記憶部からの前記左荷重および前記右荷重の経時的変化に基づいて前記使用者の身体が傾いていることを判断する判断部と、
前記判断部の判断に基づいて前記使用者の身体が傾いている旨を報知する報知部と、を含むことを特徴とするリハビリ支援装置。
【請求項２】
前記使用者のリハビリの模範となる基本荷重を予め記憶する基本荷重記憶部と、
前記基本荷重および前記左荷重と前記右荷重とを表示する表示部と、をさらに含むことを特徴とする請求項１に記載のリハビリ支援装置。
【請求項３】
前記複数の荷重検出部は、前記左荷重を検出する左荷重検出部および前記右荷重を検出する右荷重検出部を含み、
前記左荷重検出部および前記右荷重検出部は、それぞれ複数の荷重検出部を備えることを特徴とする請求項１または請求項２に記載のリハビリ支援装置。
【請求項４】
前記使用者荷重記憶部は、前記左前側荷重、前記左後側荷重、前記右前側荷重および前記右後側荷重を時間とともに記憶し、
前記判断部は、前記使用者荷重記憶部からの前記左前側荷重、前記右前側荷重、前記左後側荷重および前記右後側荷重の少なくとも一の経時的変化に基づいて前記使用者の身体が傾いていることを判断することを特徴とする請求項３に記載のリハビリ支援装置。
【請求項５】
前記基本荷重は、身体が倒れる直前の左荷重および右荷重を閾値として含み、
前記判断部は、前記使用者の前記左荷重または前記右荷重が前記閾値を超えた場合に、当該使用者の身体が傾いていると判断することを特徴とする請求項２から請求項４のいずれか１項に記載のリハビリ支援装置。
【請求項６】
前記左荷重および前記右荷重を外部機器に対して送信し、または当該外部機器から情報を受信する無線通信部をさらに含むことを特徴とする請求項１から請求項５のいずれか１項に記載のリハビリ支援装置。
【請求項７】
前記荷重検出部は、圧電素子からなり、
前記圧電素子により前記使用者の荷重変化による圧力が変換されて生じた電力を蓄積する蓄電装置をさらに含むことを特徴とする請求項１から請求項６のいずれか１項に記載のリハビリ支援装置。
【請求項８】
前記使用者の身体が傾いている時間を、前記左荷重および前記右荷重に基づいて計測する計測部をさらに含み、
前記判断部は、前記計測部により計測された時間が予め定められた時間を経過したときに前記使用者の身体が傾いていると判断することを特徴とする請求項１から請求項７のいずれか１項に記載のリハビリ支援装置。
【発明の詳細な説明】
【技術分野】
【０００１】
本発明は、使用者のリハビリを支援するリハビリ支援装置に関する。
【背景技術】
【０００２】
従来、例えば脳卒中等によって身体が片麻痺になった患者がリハビリをする際に使用するリハビリ支援装置が研究開発されている。例えば、特許文献１には、臀部挙上練習器が開示されている。この臀部挙上練習器は、支柱に加えられた力を検知する支柱力検知装置と、各支持棒間で臀部に加えられた力を検知する臀部反力検知装置と、臀部挙上練習者の姿勢または挙動を撮影するテレビカメラと、を含む。
【０００３】
また、特許文献２には、歩行リハビリ支援装置が開示されている。この歩行リハビリ支援装置は、患者の足底圧を検出する感覚検出ユニットと、患者に対して所定の刺激を付与する感覚呈示ユニットと、感覚検出ユニットにより検出された足底圧に対応した刺激が付与されるように感覚呈示ユニットの動作を制御する制御ユニットとを備える。この歩行リハビリ支援装置は、患者自身が自らの身体の感覚および運動状態に留意しながら行う自立リハビリテーションを支援することができる。
【０００４】
さらに、特許文献３には、立位練習器が開示されている。この立位練習器は、立位練習者が立位で掴まる支持棒、当該支持棒を支持する支柱、当該支柱に加えられた力を検知する支柱力検知装置と、床に加えられた力を検知する床反力検知装置と、を含む。この立位練習器では、立位練習者の支持棒に対して及ぼす上肢の力および床反力検知装置に及ぼす下肢の力を演算するとともに、棒グラフ表示および波形表示を行うことができる。
【先行技術文献】
【特許文献】
【０００５】
【特許文献１】特開２００４−１８１１１９号公報
【特許文献２】特開２００８−１２５８８８号公報
【特許文献３】特開２００６−２９６７１３号公報
【発明の概要】
【発明が解決しようとする課題】
【０００６】
しかしながら、上記従来の各練習器および歩行リハビリ支援装置では、リハビリを行う者は当該リハビリを行っている最中において自身の感覚または運動状態等を把握することができるが、リハビリによる自身の回復状態の信頼性を得ることは難しい。
【０００７】
本発明の目的は、使用者がリハビリをスムーズに実施でき、リハビリ期間における回復状態を的確に把握できるリハビリ支援装置を提供することである。
【課題を解決するための手段】
【０００８】
（１）一の局面に従うリハビリ支援装置は、使用者のリハビリを支援するリハビリ支援装置であって、使用者の身体の左荷重および右荷重をそれぞれ検出する複数の荷重検出部と、左荷重および右荷重を時間とともに記憶する使用者荷重記憶部と、使用者荷重記憶部からの左荷重および右荷重の経時的変化に基づいて使用者の身体が傾いていることを判断する判断部と、判断部の判断に基づいて使用者の身体が傾いている旨を報知する報知部と、を含むものである。
【０００９】
一の局面に従うリハビリ支援装置においては、使用者の身体の左荷重および右荷重がそれぞれ複数の荷重検出部により検出される。当該左荷重および右荷重は時間とともに使用者荷重記憶部に記憶される。左荷重および右荷重の経時的変化に基づいて使用者の身体が傾いていることが判断部により判断される。そして、報知部により使用者の身体が傾いている旨が報知される。
【００１０】
この場合、使用者の左荷重および右荷重の経時的変化が時間とともに使用者荷重記憶部に記憶され、当該経時的変化に基づいて使用者の身体が傾いていることが判断されて報知されるので、使用者は身体が傾いていることを確実に認識でき、リハビリをスムーズに実施できる。
【００１１】
また、報知部は例えば発音装置であってもよい。この場合、経過時間に対応する左荷重および右荷重の経時的変化に基づいて、例えば「回復具合いは大変良好です」等の言葉が発音装置により発音される。加えて、この場合、リハビリ支援装置を小型化できる。さらに、報知部は例えば表示部であってもよい。この場合、使用者の左荷重および右荷重の経時的変化が時間とともに表示されるので、使用者はリハビリによる回復具合いを認識できる。これらにより、使用者はリハビリに対する意欲を持つことができる。したがって、リハビリ回数が増え、回復の早さが増すことが期待できる。
【００１２】
（２）リハビリ支援装置は、使用者のリハビリの模範となる基本荷重を予め記憶する基本荷重記憶部と、当該基本荷重および左荷重と右荷重とを表示する表示部と、をさらに含んでもよい。
【００１３】
この場合、使用者のリハビリの模範となる基本荷重（例えば、リハビリによる回復が最も遅かった者又は最も早かった者のデータ）および使用者の左荷重と右荷重とが表示部に表示される。したがって、使用者は表示部を視認することで、基本荷重と使用者自身の左荷重および右荷重とを比較することができる。それにより、使用者は、リハビリに対してより一層の意欲を持つことができる。
【００１４】
（３）複数の荷重検出部は、左荷重を検出する左荷重検出部および右荷重を検出する右荷重検出部を含み、左荷重検出部および前記右荷重検出部は、それぞれ複数の荷重検出部を備えてもよい。
【００１５】
この場合、左荷重検出部の複数の荷重検出部により使用者の左前側荷重および左後側荷重が検出され、右荷重検出部の複数の荷重検出部により使用者の右前側荷重および右後側荷重が検出される。それにより、使用者が左側または右側に傾いている場合だけでなく、前側または後側に傾いている場合でも、上記複数の荷重検出部の検出結果に基づいて報知することができる。これにより、使用者は、左右のバランス感覚を養うためのリハビリだけでなく、前後のバランス感覚を養うためのリハビリをも実施できる。
【００１６】
（４）使用者荷重記憶部は、左前側荷重、左後側荷重、右前側荷重および右後側荷重を時間とともに記憶し、判断部は、左前側荷重、左後側荷重、右前側荷重および右後側荷重の少なくとも一の経時的変化に基づいて使用者の身体が傾いていることを判断してもよい。
【００１７】
この場合、使用者は、当該判断部の判断に基づいた報知により、左右方向または前後方向に傾いていることを認識できる。これにより、使用者は、左右または前後のバランス感覚を養うためのリハビリを実施できる。
【００１８】
（５）基本荷重は、身体が倒れる直前の左荷重および右荷重を閾値として含み、判断部は、使用者の左荷重または右荷重が閾値を超えた場合に、当該使用者の身体が傾いていると判断してもよい。
【００１９】
この場合、身体が倒れる直前の左荷重および右荷重を閾値とし、使用者の各荷重が当該閾値を超えたときに当該使用者の身体が傾いていると判断されるので、使用者はリハビリ中に倒れることなく当該リハビリを良好に行うことができる。
【００２０】
（６）リハビリ支援装置は、左荷重および右荷重を外部機器に対して送信し、または当該外部機器から情報を受信する無線通信部をさらに含んでもよい。
【００２１】
この場合、無線通信部により左荷重および右荷重の情報を外部機器に送信することによって、担当医師または理学療法士等に対して使用者の回復状態を確認してもらうことができる。また、担当医師または理学療法士等から例えば適切なアドバイス等の情報を受信することもできる。
【００２２】
さらに、使用者は、履歴情報として左荷重および右荷重の情報を無線通信部により例えば携帯端末等の外部機器に送信し、当該外部機器を介して担当医師等のアドバイスを受けることが容易に可能となり、当該リハビリ支援装置を使用して家庭内で気軽かつ容易にリハビリに努めることができる。それにより、使用者のリハビリ回数も増えることが期待でき、リハビリによる回復の早さも増す。
【００２３】
また、リハビリ支援装置は、例えば椅子等の上に敷く座布団のような大きさであるので、従来のリハビリ支援装置のように、例えばリハビリ支援センターのような施設にしか設けられない大きな装置でかつ高額ではない。したがって、携帯性向上および低コストかつ簡易な構成が実現される。
【００２４】
（７）荷重検出部は、圧電素子からなり、リハビリ支援装置は、圧電素子により使用者の荷重変化による圧力が変換されて生じた電力を蓄積する蓄電装置をさらに含んでもよい。
【００２５】
この場合、蓄電装置により蓄積された電力をリハビリ支援装置の動作電力に用いることができるので、省電力または電池レスを実現することができる。したがって、当該リハビリ支援装置は環境にやさしいものである。
【００２６】
（８）リハビリ支援装置は、使用者の身体が傾いている時間を、左荷重および右荷重に基づいて計測する計測部をさらに含み、判断部は、計測部により計測された時間が予め定められた時間を経過したときに使用者の身体が傾いていると判断してもよい。
【００２７】
この場合、短時間の間において、使用者が姿勢を崩しながら即座に当該姿勢を治すような場合に報知部による報知が行われることが回避されるので、余計な報知が行われることを防止できる。したがって、余分な報知により使用者が気分を害されることはない。それにより、使用者はリハビリを心地よく行うことができる。
【発明の効果】
【００２８】
本発明に係るリハビリ支援装置によれば、使用者はリハビリをスムーズに実施でき、リハビリによる回復度合いを時間とともに認識できる。
【図面の簡単な説明】
【００２９】
【図１】本実施形態に係るリハビリ支援装置の上に使用者が座っている状態を示す模式的斜視図である。
【図２】本実施形態に係るリハビリ支援装置の外観を示す模式図である。
【図３】リハビリ支援装置の構成を示すブロック図である。
【図４】記憶部に記憶されるデータの一例を示す表である。
【図５】表示部に表示されるグラフの例を示す模式図である。
【図６】表示部に表示されるグラフの他例を示す模式図である。
【図７】靴の中敷き用のリハビリ支援装置の外観を示す模式図である。
【図８】靴の中敷き用のリハビリ支援装置の構成を示すブロック図である。
【発明を実施するための形態】
【００３０】
以下、本発明の一実施形態に係るリハビリ支援装置について図面を参照しながら説明する。なお、本実施形態に係るリハビリ支援装置１００は、主に脳卒中等により身体が片麻痺になった患者が自身の身体のバランスを良好にとるために行うリハビリを支援するものである。
【００３１】
図１は本実施形態に係るリハビリ支援装置１００の上に使用者Ｈが座っている状態を示す模式的斜視図である。
【００３２】
図１に示すように、本実施形態に係るリハビリ支援装置１００は、椅子Ｃ上に載置される。使用者Ｈは、椅子Ｃ上に載置されたリハビリ支援装置１００上に座位をとることでリハビリを行う。使用者Ｈは、リハビリ支援装置１００により自身の身体が傾いている状態にあること等を認識できる。詳細については、以下説明する。
【００３３】
図２は本実施形態に係るリハビリ支援装置１００の外観を示す模式図であり、図３はリハビリ支援装置１００の構成を示すブロック図である。
【００３４】
図２に示すように、リハビリ支援装置１００は、薄板状の本体部１０１を含む。当該本体部１０１には、使用者Ｈが持ち運びするための複数の取手部１０２、各種情報を表示する表示部１０３および使用者Ｈが操作する操作部１０３ａ等が設けられる。
【００３５】
また、本体部１０１の内部には、使用者Ｈ（図１）が座位をとった場合の、主に左前荷重を検出する第１左荷重検出部１０４ａ、主に左後ろ荷重を検出する第２左荷重検出部１０４ｂ、主に右前荷重を検出する第１右荷重検出部１０４ｃ、および主に右後ろ荷重を検出する第２右荷重検出部１０４ｄが設けられる。なお、第１左荷重検出部１０４ａ、第２左荷重検出部１０４ｂ、第１右荷重検出部１０４ｃおよび第２右荷重検出部１０４ｄは、例えば圧電素子からなる。
【００３６】
図３に示すように、リハビリ支援装置１００は、第１左荷重検出部１０４ａ、第２左荷重検出部１０４ｂ、第１右荷重検出部１０４ｃ、第２右荷重検出部１０４ｄ、荷重処理部１５０、発音装置１１０、無線通信部１１１および蓄電部１１２を含む。
【００３７】
荷重処理部１５０は、判断部１０５、記憶部１０６（使用者荷重記憶部１０７および基本荷重記憶部１０８を含む）、計測部１０９および算出部１１３を含む。荷重処理部１５０は、図示しないＣＰＵ（中央演算処理装置：判断部１０５、計測部１０９および算出部１１３に相当）、ＲＡＭ（ランダムアクセスメモリ：記憶部１０６に相当）およびＲＯＭ（リードオンリーメモリ：記憶部１０６に相当）等によって構成される。当該ＣＰＵがＲＡＭまたはＲＯＭに格納されているプログラムを実行することによって、判断部１０５、計測部１０９および算出部１１３が機能的に実現されている。このようなプログラムは、当該プログラムが記録されたＣＤ−ＲＯＭ、ＤＶＤ−ＲＯＭ等の記録媒体および半導体メモリ等の記録媒体を含む可搬型の記録媒体からインストールすることが可能である。
【００３８】
図３において、第１左荷重検出部１０４ａ、第２左荷重検出部１０４ｂ、第１右荷重検出部１０４ｃおよび第２右荷重検出部１０４ｄにより検出された各荷重は、判断部１０５および記憶部１０６に与えられる。
【００３９】
記憶部１０６の基本荷重記憶部１０８は、基本荷重（後述の閾値Ｓｈを含む）を予め記憶する。ここで、基本荷重とは、使用者Ｈ（図１）がリハビリを行う際の模範となる荷重である。基本荷重として、例えば健常者が座位をとった場合の荷重を採用することができる。なお、基本荷重の詳細については後述する。
【００４０】
また、記憶部１０６の使用者荷重記憶部１０７は、第１左荷重検出部１０４ａ、第２左荷重検出部１０４ｂ、第１右荷重検出部１０４ｃおよび第２右荷重検出部１０４ｄによる各検出値を、それぞれ使用者荷重（左前荷重）Ｋ１、使用者荷重（左後ろ荷重）Ｋ２、使用者荷重（右前荷重）Ｋ３および使用者荷重（右後ろ荷重）Ｋ４として記憶する。
【００４１】
判断部１０５は、上記の使用者荷重Ｋ１、Ｋ２、Ｋ３、Ｋ４に基づいて使用者Ｈの身体（姿勢）が傾いているか否かを判断する。当該判断方法については後述する。
【００４２】
計測部１０９は、上記の使用者荷重Ｋ１、Ｋ２、Ｋ３、Ｋ４に基づいて、使用者Ｈの身体が傾いている時間（以下、傾斜姿勢時間と呼ぶ）を計測する。
【００４３】
ここで、本実施形態では、判断部１０５は、計測部１０９により計測された傾斜姿勢時間が予め定められた時間を経過したときに、使用者Ｈの身体が傾いていると判断する。この場合、判断部１０５は、使用者Ｈの身体が傾いている旨を当該使用者Ｈに知らせるための音を発音装置１１０に発音させるよう指令する。なお、発音装置１１０に発される音は、例えばビープ音である。
【００４４】
このように、発音装置１１０が上記の傾斜姿勢時間が経過してから発音するように制御されることによって、短時間の間において、使用者Ｈが姿勢を崩しながら即座に当該姿勢を治すような場合に発音装置１１０による報知が行われることが回避される。それにより、余計な報知が行われることを防止できる。したがって、余分な報知により使用者Ｈが気分を害されることはない。それにより、使用者Ｈはリハビリを心地よく行うことができる。
【００４５】
算出部１１３は、基本荷重および使用者荷重Ｋ１、Ｋ２、Ｋ３、Ｋ４に基づいて各値を算出する。詳細については後述する。
【００４６】
表示部１０３は、判断部１０５の指令に基づいて、上記使用者荷重Ｋ１、Ｋ２、Ｋ３、Ｋ４に基づいたグラフおよび各種設定項目等を表示する。なお、使用者荷重Ｋ１、Ｋ２、Ｋ３、Ｋ４に基づいて作成されるグラフについては図面を用いて後述する。
【００４７】
無線通信部１１１は、例えばbluetooth（登録商標）を通信規格として用いる。この場合、無線通信部１１１から使用者Ｈの使用者荷重Ｋ１、Ｋ２、Ｋ３、Ｋ４に関する履歴情報を、bluetooth（登録商標）機能を有する例えば携帯電話等の携帯端末２００に送信することができる。そして、使用者Ｈは、携帯端末２００を使用して上記情報を、担当医師（主治医）または理学療法士等に送信することができる。それにより、使用者Ｈは、携帯端末２００のような身近にある機器を使って情報を担当医師等に容易かつ迅速に送信することができる。また、使用者Ｈは、担当医師等から適切なアドバイスを容易かつ迅速に受信することもできる。
【００４８】
蓄電部１１２は、使用者Ｈの重心移動によって第１左荷重検出部１０４ａ、第２左荷重検出部１０４ｂ、第１右荷重検出部１０４ｃおよび第２右荷重検出部１０４ｄにおいて生じた電荷を蓄積する。蓄電部１１２の電力はリハビリ支援装置１００の動作電力（データ送信用電力を含む）として用いられる。
【００４９】
次に、使用者Ｈの身体が傾いていることを判断するための方法の一例として、基本荷重および使用者荷重Ｋ１、Ｋ２、Ｋ３、Ｋ４を用いた方法を説明する。
【００５０】
図４は記憶部１０６に記憶されるデータＤ１の一例を示す表である。図４のデータＤ１の各値は、図３の算出部１１３によって算出される。図４において、基本荷重の左前荷重、左後ろ荷重、右前荷重および右後ろ荷重を、それぞれＳ１、Ｓ２、Ｓ３およびＳ４とする。
【００５１】
データＤ１には、左前側、左後ろ側、右前側および右後ろ側という各区分けで、基本荷重の比、使用者荷重の比、基本荷重と使用者荷重との比率、最適値および絶対値差が含まれる。
【００５２】
左前側に関する基本荷重の比α１は、基本荷重の左前荷重Ｓ１、左後ろ荷重Ｓ２、右前荷重Ｓ３および右後ろ荷重Ｓ４の合計に対する左前荷重Ｓ１の比であり、Ｓ１／（Ｓ１＋Ｓ２＋Ｓ３＋Ｓ４）により表される。同様に、左後ろ側に関する基本荷重の比α２は、Ｓ２／（Ｓ１＋Ｓ２＋Ｓ３＋Ｓ４）により表され、右前側に関する基本荷重の比α３は、Ｓ３／（Ｓ１＋Ｓ２＋Ｓ３＋Ｓ４）により表され、右後ろ側に関する基本荷重の比α４は、Ｓ４／（Ｓ１＋Ｓ２＋Ｓ３＋Ｓ４）により表される。
【００５３】
左前側に関する使用者荷重の比β１は、使用者荷重Ｋ１、Ｋ２、Ｋ３、Ｋ４の合計に対する使用者荷重Ｋ１の比であり、Ｋ１／（Ｋ１＋Ｋ２＋Ｋ３＋Ｋ４）により表される。同様に、左後ろ側に関する使用者荷重の比β２は、Ｋ２／（Ｋ１＋Ｋ２＋Ｋ３＋Ｋ４）により表され、右前側に関する使用者荷重の比β３は、Ｋ３／（Ｋ１＋Ｋ２＋Ｋ３＋Ｋ４）により表され、右後ろ側に関する使用者荷重の比β４は、Ｋ４／（Ｋ１＋Ｋ２＋Ｋ３＋Ｋ４）により表される。すなわち、基本荷重の比α１、α２、α３、α４および使用者荷重の比β１、β２、β３、β４は、それぞれ合計荷重に対する各位置（左前側、左後ろ側、右前側および右後ろ側）の荷重の割合を示す。
【００５４】
ここで、上述したように、基本荷重はリハビリの模範となるものであるので、α１／β１、α２／β２、α３／β３およびα４／β４は、それぞれ１であることが望ましい。したがって、図４の最適値をそれぞれ１とする。
【００５５】
図４に示すように、算出部１１３（図３）により算出されたα１／β１、α２／β２、α３／β３およびα４／β４が、例えば、それぞれ１、１、０．５および１．５である場合には、これらの値と、対応する上記各最適値との差の絶対値（以下、絶対値差と呼ぶ）は、それぞれ０、０、０．５、０．５となる。つまり、各絶対値差が小さければ小さいほど、使用者Ｈのリハビリの状態が模範状態に近くなっていることが言える。
【００５６】
なお、図４のデータＤ１において、使用者荷重Ｋ１、Ｋ２、Ｋ３、Ｋ４および基本荷重Ｓ１、Ｓ２、Ｓ３、Ｓ４としては、所定期間におけるこれら各荷重の平均値を用いることができる。
【００５７】
図５は表示部１０３に表示されるグラフの例を示す模式図である。なお、使用者Ｈは、操作部１０３ａ（図２）を操作することによって、図５（ａ）の表示と図５（ｂ）の表示とを切り替えて表示させることができる。
【００５８】
図５（ａ）に示すように、左側のグラフには、ある期間における使用者荷重の比β１、β２の軌跡が表示され、右側のグラフには、同期間における使用者荷重の比β３、β４の軌跡が表示される。
【００５９】
また、図５（ａ）において、身体が倒れる直前の基本荷重の比が閾値Ｓｈとして表示される。当該閾値Ｓｈは、例えば４０％に設定される。例えば、使用者荷重の比β３が時間ｔ１において閾値Ｓｈを超えた場合、判断部１０５（図３）は、使用者が将来的に倒れることを知らせるための音を発音装置１１０（図３）が発するように指令する。これにより、使用者Ｈは、将来的に倒れることを、倒れる前に知ることができる。なお、本実施形態では、使用者荷重の比β１、β２、β３、β４のうち一つでも閾値Ｓｈを超えれば、発音装置１１０により発音される。
【００６０】
図５（ｂ）に示すように、左側のグラフには、ある期間における基本荷重の比α１、α２の軌跡が表示され、右側のグラフには、同期間における基本荷重の比α３、α４の軌跡が表示される。なお、図５では示していないが、図５（ａ）のグラフに、図５（ｂ）の基本荷重の比α１、α２、α３、α４を重ねて表示してもよい。
【００６１】
図６は表示部１０３に表示されるグラフの他例を示す模式図である。図６のグラフは、使用者Ｈのリハビリによる回復度合い（成果）を示すものである。
【００６２】
すなわち、図６において、横軸Ｌ１を時間軸とし、縦軸Ｌ２を、図４の各絶対値差の合計をポイントＫｔとして用いるポイント軸とした場合、当該ポイントＫｔの軌跡は、右肩下がりであることが望ましい。つまり、リハビリを開始した当初（例えば、６ヶ月前）の使用者Ｈに関しては、リハビリに慣れていないことまたはリハビリの成果が未だ表れない等の理由で、ポイントＫｔが高くなることが多い。これに対して、リハビリを継続してきた時点（現在）での使用者Ｈに関しては、リハビリに慣れてきたことおよびリハビリの成果が表れる等の理由で、ポイントＫｔが低くなる。ポイントＫｔが０になるということは、模範と同等になったことを意味し、回復状態となったことを示す。
【００６３】
なお、ポイントＫｔが所定範囲内に入れば、例えば「回復具合いは大変良好です」等の言葉が発音装置１１０により発せられる。
【００６４】
（本実施形態における効果）
このように、本実施形態に係るリハビリ支援装置１００では、使用者荷重Ｋ１、Ｋ２、Ｋ３、Ｋ４（使用者荷重の比β１、β２、β３、β４）の経時的変化および閾値Ｓｈに基づいて、使用者Ｈの身体が傾いていることが発音装置１１０により発音されるので、当該使用者Ｈは、将来的に倒れることを、倒れる前に認識できる。それにより、使用者Ｈは、倒れることなく自身の姿勢を即座に修正することができ、リハビリをスムーズに行うことができる。
【００６５】
また、表示部１０３においてリハビリ期間における回復度合いが時間とともに表示されるので、使用者Ｈは、リハビリによる回復状態を的確に認識できる。
【００６６】
また、ポイントＫｔに応じて、「回復具合いは大変良好です」等の言葉が発音装置１１０により発せられるので、使用者Ｈはリハビリに対する意欲を持つことができる。したがって、リハビリ回数が増え、回復の早さが増すことが期待できる。
【００６７】
また、本実施形態では、使用者荷重Ｋ１、Ｋ２、Ｋ３、Ｋ４（使用者荷重の比β１、β２、β３、β４）の経時的変化に基づいて発音装置１１０により報知されることによって、使用者Ｈは、左右のバランス感覚を養うためのリハビリだけでなく、前後のバランス感覚を養うためのリハビリをも実施できる。
【００６８】
また、本実施形態では、無線通信部１１１により履歴情報を携帯端末２００に送信することによって、当該携帯端末２００を用いて担当医師または理学療法士等に対して使用者Ｈの回復状態を確認してもらうことができる。そして、担当医師または理学療法士等から例えば適切なアドバイス等の情報を受信することもできる。したがって、使用者Ｈは、携帯端末２００を介して担当医師等のアドバイスを受けることが容易となり、リハビリ支援装置１００を使用して家庭内で気軽かつ容易にリハビリに努めることができる。それにより、使用者Ｈのリハビリ回数も増えることが期待でき、リハビリによる回復の早さも増す。
【００６９】
また、リハビリ支援装置１００は、椅子Ｃ等の上に敷く座布団のような大きさであるので、従来のリハビリ支援装置のように、例えばリハビリ支援センターのような施設にしか設けられない大きな装置でかつ高額ではない。したがって、携帯性向上および低コストかつ簡易な構成が実現される。
【００７０】
また、本実施形態では、蓄電部１１２により蓄積された電力をリハビリ支援装置１００の動作電力に用いることができるので、省電力または電池レスを実現することができる。したがって、リハビリ支援装置１００は環境にやさしいものである。
【００７１】
さらに、本実施形態では、発音装置１１０は傾斜姿勢時間が経過してから発音するように制御されることによって、短時間の間において、使用者Ｈが姿勢を崩しながら即座に当該姿勢を治すような場合に発音装置１１０による報知が行われることが回避される。それにより、余計な報知が行われることを防止できる。したがって、余分な報知により使用者Ｈが気分を害されることはない。それにより、使用者Ｈはリハビリを心地よく行うことができる。
【００７２】
（請求項の各構成要素と本実施形態の各構成部との対応関係）
上記実施形態においては、リハビリ支援装置１００がリハビリ支援装置に相当し、使用者荷重Ｋ１が使用者の左前側荷重に相当し、使用者荷重Ｋ２が使用者の左後側荷重に相当し、使用者荷重Ｋ３が使用者の右前側荷重に相当し、使用者荷重Ｋ４が使用者の右後側荷重に相当し、第１左荷重検出部１０４ａおよび第２左荷重検出部１０４ｂが左荷重検出部に相当し、第１右荷重検出部１０４ｃおよび第２右荷重検出部１０４ｄが右荷重検出部に相当し、使用者荷重記憶部１０７が使用者荷重記憶部に相当し、判断部１０５が判断部に相当し、発音装置１１０が報知部に相当し、基本荷重記憶部１０８が基本荷重記憶部に相当し、表示部１０３が表示部に相当し、閾値Ｓｈが閾値に相当し、携帯端末２００が外部機器に相当し、無線通信部１１１が無線通信部に相当し、蓄電部１１２が蓄電装置に相当し、計測部１０９が計測部に相当する。
【００７３】
（変形例）
なお、上記実施形態では、使用者荷重の比β１、β２、β３、β４のうち一つでも閾値Ｓｈを超えれば、発音装置１１０により発音されることとしたが、これに限定されるものではなく、例えば使用者荷重の比β１と使用者荷重の比β２とが共に閾値Ｓｈを超えた場合に、発音装置１１０による発音が行われることとしてもよい。この場合、使用者荷重の比β１の閾値Ｓｈと使用者荷重の比β２の閾値Ｓｈとが異なるように設定することが好ましい。
【００７４】
また、発音装置１１０は、使用者荷重の比β１、β２、β３、β４が閾値Ｓｈに近付くにつれて音を徐々に大きく発してもよい。この場合、使用者Ｈは自身の身体の傾きの程度を認識することができる。それにより、使用者は自身の姿勢の修正を的確に行うことができる。
【００７５】
また、上記実施形態では、使用者Ｈが傾いている旨の報知を発音装置１１０により行うこととしたが、これに限定されるものではなく、振動装置により報知を行ってもよい。この場合、難聴の使用者Ｈでも上記報知を認識することができる。
【００７６】
また、上記実施形態では、図５および図６のグラフを表示部１０３に表示することとしたが、これに限定されるものではなく、無線通信部１１１を使ってこれらを携帯端末２００に表示してもよい。この場合、リハビリ支援装置１００に表示部１０３を設けなくてもよいので、当該リハビリ支援装置１００の小型化を図ることができる。
【００７７】
また、上記実施形態では、使用者Ｈが座位をとる場合のリハビリに用いられるリハビリ支援装置１００について説明したが、図７に示すように、例えば靴の中敷き用のリハビリ支援装置等にも本発明を同様に適用でき、使用者Ｈが立位の状態でリハビリを行う際にも、当該リハビリをスムーズに実施でき、リハビリによる回復度合いを時間とともに認識できる。
【００７８】
図７において、左足裏用リハビリ支援装置１００Ｌおよび右足裏用リハビリ支援装置１００Ｒは、リハビリ支援装置１００と同様に、第１左荷重検出部１０４ａ、第２左荷重検出部１０４ｂ、第１右荷重検出部１０４ｃおよび第２右荷重検出部１０４ｄをそれぞれ含む。なお、左足裏用リハビリ支援装置１００Ｌおよび右足裏用リハビリ支援装置１００Ｒは、その外観が略足裏の形状となるように形成される。
【００７９】
図８に示すように、左足裏用リハビリ支援装置１００Ｌ（右足裏用リハビリ支援装置１００Ｒについても同じ）は、リハビリ支援装置１００から表示部１０３を除いた構成（図３が比較対象）を有する。図８の各構成部の機能はリハビリ支援装置１００と同じである。なお、左足裏用リハビリ支援装置１００Ｌおよび右足裏用リハビリ支援装置１００Ｒは連動する。
【００８０】
また、使用者Ｈがリハビリを行っている際に、リハビリ支援装置１００において音楽等を流してもよい。この場合、使用者Ｈはリハビリを楽しく行うことができる。
【００８１】
さらに、本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００８２】
１００    リハビリ支援装置
１００Ｌ    左足裏用リハビリ支援装置
１００Ｒ    右足裏用リハビリ支援装置
１０１    本体部
１０３    表示部
１０４ａ    第１左荷重検出部
１０４ｂ    第２左荷重検出部
１０４ｃ    第１右荷重検出部
１０４ｄ    第２右荷重検出部
１０５    判断部
１０７    使用者荷重記憶部
１０８    基本荷重記憶部
１０９    計測部
１１０    発音装置
１１１    無線通信部
１１２    蓄電部
２００    携帯端末
Ｋ１、Ｋ２、Ｋ３、Ｋ４    使用者荷重
Ｓｈ    閾値
【図１】
2011177265.tif 000003
【図２】
2011177265.tif 000004
【図３】
2011177265.tif 000005
【図４】
2011177265.tif 000006
【図５】
2011177265.tif 000007
【図６】
2011177265.tif 000008
【図７】
2011177265.tif 000009
【図８】
2011177265.tif 000010